(57)【要約】【課題】  鮮明な静止画像を撮影する技術を提供する。【解決手段】  本発明の映像記録装置は、撮像部から取得した画像を記録する映像記録装置であって、動画取得部、動き検出部、および静止画記録部を備える。動画取得部は、撮像部から動画像を取得する。動き検出部は、動画像から動き量を検出する。静止画記録部は、『検出した動き量が予め定められた閾値よりも小さい』および『検出した動き量が極小となる』のいずれか１つである被写体静止条件を満足すると、撮像部から静止画像を取得して記録する。【選択図】      図２
2006067452.tif 000002
【特許請求の範囲】
【請求項１】
撮像部から取得した画像を記録する映像記録装置であって、
前記撮像部から動画像を取得する動画取得部と、
前記動画像から動き量を検出する動き検出部と、
『前記動き量が予め定められた閾値よりも小さい』および『前記動き量が極小となる』のいずれか１つである被写体静止条件を満足すると、前記撮像部から静止画像を取得して記録する静止画記録部と
を備えたことを特徴とする映像記録装置。
【請求項２】
請求項１に記載の映像記録装置において、
撮影指示を受け付けるレリーズ部を備え、
前記静止画記録部は、
前記レリーズ部から撮影指示を受け付け、かつ、前記被写体静止条件を満足すると、前記撮像部から静止画像を取得して記録する
ことを特徴とする映像記録装置。
【請求項３】
請求項１または請求項２に記載の映像記録装置において、
前記静止画像の連写速度が変化する変速連写モードの選択部を備え、
前記静止画記録部は、
前記変速連写モードが選択されると、
前記動き量が小さくなるほど、連写記録の時間間隔を短くする
ことを特徴とする映像記録装置。
【請求項４】
請求項１ないし請求項３のいずれか１項に記載の映像記録装置において、
前記動き検出部は、
画面内の複数箇所について最大の動き量を検出する
ことを特徴とする映像記録装置。
【請求項５】
請求項１ないし請求項３のいずれか１項に記載の映像記録装置において、
前記動き検出部は、
画面内の複数箇所について最小の動き量を検出する
ことを特徴とする映像記録装置。
【請求項６】
請求項１ないし請求項３のいずれか１項に記載の映像記録装置において、
特定被写体を指示入力する被写体指示部を備え、
前記動き検出部は、
前記動画像から前記特定被写体の画面内移動を検出して追尾し、前記特定被写体の動きを継続的に検出する
ことを特徴とする映像記録装置。
【請求項７】
請求項６に記載の映像記録装置において、
前記静止画記録部は、
前記特定被写体の位置を前記静止画像に関連付けて記録する
ことを特徴とする映像記録装置。
【請求項８】
請求項６ないし請求項７のいずれか１項に記載の映像記録装置において、
前記静止画記録部は、
前記特定被写体を画面内に含むように、前記静止画像をトリミングまたは電子ズームして記録する
ことを特徴とする映像記録装置。
【請求項９】
請求項１ないし請求項８のいずれか１項に記載の映像記録装置と、
被写体を撮像して動画像および静止画像を出力する撮像部と
を備えたことを特徴とする電子カメラ。
【発明の詳細な説明】
【技術分野】
【０００１】
本発明は、静止画像の撮影タイミングを制御することで、手ブレや被写体ブレの少ない鮮明な静止画像を記録する技術に関する。
【背景技術】
【０００２】
下記の特許文献１には、ＢＳＳ（ベストショットセレクタ）モードを有する電子カメラが開示されている。このＢＳＳモードでは、まず、静止画像を連写撮影し、得られた静止画像の中から、ブレが少なく画像情報の多いもの（例えば圧縮符号量の多いもの）を選択的に保存する。
このＢＳＳモードを使用することによって、ブレの少ない鮮明な静止画像を確実に撮影することが可能になる。
【特許文献１】特開２０００−２０９４８４号公報（請求項１）
【発明の開示】
【発明が解決しようとする課題】
【０００３】
ところで、上述したＢＳＳモードは、静止画像の撮影を複数回繰り返す必要がある。そのため、静止画像の連写速度の遅い電子カメラでは、複数回の連写撮影を完了するまでに時間がかかる。その期間中、撮影者は電子カメラをなるべく動かさずに保持し続けなければならず、その点で改良の余地があった。
本発明は、このような点に鑑みて、ブレの少ない静止画像を撮影する新たな技術を提供することを目的とする。
【課題を解決するための手段】
【０００４】
《１》
本発明の映像記録装置は、撮像部から取得した画像を記録する映像記録装置であって、動画取得部、動き検出部、および静止画記録部を備える。
動画取得部は、撮像部から動画像を取得する。
動き検出部は、動画像から動き量を検出する。
静止画記録部は、『検出した動き量が予め定められた閾値よりも小さい』および『検出した動き量が極小となる』のいずれか１つである被写体静止条件を満足すると、撮像部から静止画像を取得して記録する。
【０００５】
《２》
なお好ましくは、映像記録装置は、撮影指示を受け付けるレリーズ部を備える。静止画記録部は、このレリーズ部から撮影指示を受け付け、かつ、被写体静止条件を満足した場合に、撮像部から静止画像を取得して記録する。
【０００６】
《３》
また好ましくは、映像記録装置は、静止画像の連写速度が変化する変速連写モードの選択部を備える。静止画記録部は、この変速連写モードが選択されると、動画像から検出される動き量が小さくなるほど、連写記録の時間間隔を短くすることを特徴とする。
【０００７】
《４》
なお好ましくは、動き検出部は、画面内の複数箇所から最大の動き量を検出する。
【０００８】
《５》
また好ましくは、動き検出部は、画面内の複数箇所から最小の動き量を検出する。
【０００９】
《６》
なお好ましくは、映像記録装置は、特定被写体を指示入力する被写体指示部を備える。動き検出部は、動画像から特定被写体の画面内移動を検出して追尾し、特定被写体の動きを継続的に検出する。
【００１０】
《７》
また好ましくは、静止画記録部は、この特定被写体の位置を静止画像に関連付けて記録する。
【００１１】
《８》
なお好ましくは、静止画記録部は、特定被写体を画面内に含むように、静止画像をトリミングまたは電子ズームして記録することを特徴とする。
【００１２】
《９》
本発明の電子カメラは、上記《１》〜《８》いずれかの映像記録装置と、被写体を撮像して動画像および静止画像を出力する撮像部とを備える。
【発明の効果】
【００１３】
（１）
本発明では、撮像部から動画像を取得し、その動画像から動き量を検出する。
この動画像から検出された動き量が、予め定められた閾値よりも小さい場合、被写体が画面に対して静止したと見なせる。また、動画像の動き量が極小となる場合も、被写体が画面に対して静止したと見なせる。
【００１４】
そこで、本発明では、これら静止と見なせる条件のいずれか１つを被写体静止条件として判定することで、被写体が画面に対してぶれないタイミングを判断する。静止画記録部は、このタイミングに同期して、撮像部から静止画像を取得して記録する。
その結果、被写体が画面に対してほぼ静止した状態で静止画像を取得することが可能になり、手ブレや被写体ブレの少ない静止画像を高い確率で得ることができる。
【００１５】
なお、被写体静止条件として『動き量の閾値判定』を実施する場合は、被写体の静止状態を閾値という絶対基準で判定することになる。その結果、客観的に手ブレや被写体ブレの少ない静止画像を記録することが可能になる。
ただし、ブレの大きさには個人差があるため、人によってはブレをこの閾値未満に抑えることが困難な場合もある。このような場合は、被写体静止条件として『動き量の極小判定』を実施することが好ましい。この『動き量の極小判定』では、そのユーザーのとってブレが収まる好適なタイミングを判定することができる。その結果、そのユーザーにとって好ましいブレの少ない静止画像を記録することが可能になる。
【００１６】
なお好ましくは、撮像部から取得する動画像を低解像度画像とし、静止画像を高解像度画像とする。この場合、動画像の処理コストが低くなるため、ほぼリアルタイムかつ高速フレームレートで動画像を取得できる。この高速フレームレートの動画像について被写体静止条件を判定することにより、被写体が画面に対して静止する僅かな瞬間を逃さず検出することが可能になる。そのため、ＢＳＳモードに比べて何度も静止画撮影を繰り返す必要は無く、鮮明な静止画撮影を短時間で完了できる。その結果、電子カメラを長時間にわたって保持し続ける必要があまりなく、ブレの少ない鮮明な静止画像を軽快に撮影することが可能になる。
【００１７】
（２）
さらに、本発明では、レリーズ部を備えてもよい。この場合、『レリーズ部からの撮影指示』と『被写体静止条件』のアンド条件に従って、静止画像を取得記録する。
この動作では、指示されたシャッタチャンスに合致し、かつブレの少ないタイミングで、静止画像を取得して記録することができる。
【００１８】
（３）
また、本発明では、ユーザーが変速連写モードを選択する手段を設けてもよい。この変速連写モードでは、動画像から検出される動き量が小さくなるほど、静止画像の連写速度を速くする。その結果、ブレの少ない期間に静止画像をたくさん撮影することが可能になる。また、ブレの少ない良好な撮影状態に近づくほど、連写のテンポが上がる。そのため、本発明では、連写のテンポアップに従って、ユーザーをブレの少ない撮影状態へ自然に誘導することができる。
一方、ブレの多い状態になるほど、連写速度は遅くなる。その結果、ブレの多い失敗写真のコマ数を削減し、記録媒体の容量を節約することができる。
【００１９】
（４）
さらに、画面内の複数箇所から最大の動き量を検出し、この最大の動き量に基づいて被写体静止条件を判定してもよい。この場合、最大の動き量が被写体静止条件を満足するということは、画面内のその他箇所いずれも動き量がそれ以下に小さくなっていることを意味する。したがって、画面内の複数箇所の全てにおいて、手ブレや被写体ブレの少ない鮮明な静止画像を記録することが可能になる。
このような動作は、風景写真や集合写真のように画面全域に鮮明さの要求される撮影に好適である。
【００２０】
（５）
また、画面内の複数箇所から最小の動き量を検出して、この最小の動き量に基づいて被写体静止条件を判定してもよい。この場合、画面内のいくつかの箇所で動き量が大きくても、その内の１箇所でも動き量が収まれば、静止画像を取得して記録する。
【００２１】
例えば、動体被写体の動き量に合わせてカメラをパンニングする『流し撮り』という撮影技法が知られている。この流し撮りでは、画面内の背景部分がパンニングによって大きく流れる。その一方、パンニングが動体被写体の動き量に追いつくに従って、画面内の動体被写体は静止状態に近づく。
従来の流し撮りでは、この動体被写体が画面内で静止した瞬間を正確に判断してシャッタレリーズを行うことは難しく、流し撮りの成功確率は一般的に低かった。
【００２２】
しかしながら、上記のように『最小の動き量』を画面内から求めることにより、背景部分の大きな動きを除外して、画面内で静止状態に近づきつつある動体被写体の動きを抽出することが可能になる。したがって、この『最小の動き量』で被写体静止条件を判定することにより、好適な流し撮りのタイミング（画面内で動体被写体がほぼ静止したタイミング）を判断することができる。その結果、動体被写体がほぼ静止した良好な流し撮り写真を高い確率で撮影することが可能になる。
【００２３】
（６）
また、本発明では、特定被写体を指示入力する被写体指示部を備えてもよい。動き検出部は、この特定被写体を追尾しながら、特定被写体の動きを継続的に検出する。この場合、この特定被写体の動きが被写体静止条件を満足するタイミングで、静止画像を取得して記録することができる。
【００２４】
例えば、小さな子供を室内光のみで撮影する場合、子供がじっとしていることが少ない上に、室内光が暗く露光時間が長くなるため、被写体ブレが極めて起こりやすくなる。このような撮影環境では、子供の不規則な動きを追いながら一瞬静止した状態を逃さずに撮影しなければならず、成功確率が一般に低くなる。しかしながら、上記の動体追尾の動作では、特定被写体（この場合は子供）を画面内で追尾しながら、その特定被写体の静止した瞬間を逃さずに撮影することが可能になる。
【００２５】
（７）
さらに、本発明では、この特定被写体の位置を静止画像に関連付けて記録してもよい。このような記録によって、撮影後に画面内の特定被写体を簡単に特定することができる。
例えば、後から画像処理を行ったり、印刷処理を行ったりする際に、この特定被写体の位置を基準にした処理が可能になる。
【００２６】
（８）
また、本発明では、この特定被写体を画面内に含むように、静止画像をトリミングまたは電子ズームして記録してもよい。
例えば、このような動作により、広角の動画撮影を行うことで画面内に特定被写体を確実に捉えつつ、その一方で静止画像としては電子ズーム処理などによって特定被写体を大きく撮影することが可能になる。
すなわち、行動範囲の広い特定被写体を画面内に確実に捉え続けるという要求と、その特定被写体を大きく写したいという本来相反する要求とを、一度に解決することが可能になる。
【発明を実施するための最良の形態】
【００２７】
《第１実施形態》
図１は、第１実施形態の電子カメラ１１（映像記録装置を含む）を示すブロック図である。
図１において、電子カメラ１１には、撮影レンズ１２が装着される。この撮影レンズ１２の像空間には、撮像素子１３の受光面が配置される。この撮像素子１３は、タイミングジェネレータ２２ｂの出力パルスによって動作が制御される。
【００２８】
この撮像素子１３で生成される画像は、Ａ／Ｄ変換部１５および信号処理部１６を介して、バッファメモリ１７に一時記憶される。
このバッファメモリ１７は、バス１８に接続される。このバス１８には、画像処理部１９、カードインターフェース２０、マイクロプロセッサ２２、圧縮伸張部２３、および画像表示部２４が接続される。
【００２９】
この内、カードインターフェース２０は、着脱自在なメモリカード２１に対するデータの読み書きを行う。
また、マイクロプロセッサ２２には、スイッチ群２２ａからユーザー操作の信号が入力される。このスイッチ群２２ａには、レリーズ釦、モード操作釦、マルチセレクター釦、コマンドダイヤルなどが含まれる。
【００３０】
さらに、画像表示部２４は、電子カメラ１１の背面に設けられたモニタ画面２５に画像を表示すると共に、カメラの動作に関するメニューを表示する。
【００３１】
［発明との対応関係］
以下、発明と第１実施形態との対応関係について説明する。なお、ここでの対応関係は、参考のために一解釈を例示するものであり、本発明を徒らに限定するものではない。
請求項記載の動画取得部は、『撮像素子１３を用いて動画撮影を行い、動画像をバッファメモリ１７に蓄積する機能』を実行するマイクロプロセッサ２２に対応する。
請求項記載の動き検出部は、『動画像から動き量を検出する機能』を実行するマイクロプロセッサ２２に対応する。
請求項記載の静止画記録部は、『動画像が被写体静止条件を満足すると、撮像素子１３から静止画像を取得して記録する機能』を実行するカードインターフェース２０およびマイクロプロセッサ２２に対応する。
請求項記載のレリーズ部は、スイッチ群２２ａのレリーズ釦などに対応する。
請求項記載の選択部は、スイッチ群２２ａのモード操作釦などに対応する。
請求項記載の被写体指示部は、スイッチ群２２ａのマルチセレクター釦などに対応する。
請求項記載の撮像部は、撮像素子１３などに対応する。
【００３２】
［第１実施形態の動作］
［基本動作］
図２は、動画撮影の途中で静止画像を撮影する基本動作の流れ図である。以下、ステップ番号に沿って動作説明を行う。
【００３３】
ステップＳ１：  ユーザーは、撮影に先だって、電子カメラ１１の主電源を投入し、電子カメラ１１のモード選択ダイヤルを撮影モードに設定する。この操作を契機に、マイクロプロセッサ２２は、タイミングジェネレータ２２ｂを介して、撮像素子１３に間引き読み出しの駆動パルスを与える。その結果、撮像素子１３からは、動画像（ここでは間引き読み出しによる低解像度画像）が所定のフレームレートで読み出される。
【００３４】
ステップＳ２：  読み出された動画像は、Ａ／Ｄ変換部１５、および信号処理部１６を経た後、バッファメモリ１７に一時蓄積される。画像表示部２４は、バッファメモリ１７から動画像を読み出し、モニタ画面２５に表示する（いわゆるスルー画表示）。
【００３５】
ステップＳ３：  マイクロプロセッサ２２は、スイッチ群２２ａを介してユーザーから動画記録の指示があった否かを判断する。
動画記録の指示があった場合、マイクロプロセッサ２２はステップＳ４に動作を移行する。一方、動画記録の指示がなかった場合、マイクロプロセッサ２２はステップＳ５に動作を移行する。
【００３６】
ステップＳ４：  ユーザーからの動画記録の指示に従って、マイクロプロセッサ２２は、バッファメモリ１７内の動画像に圧縮処理を施す。この圧縮処理により、動画像ファイル（ＭｏｔｉｏｎＪＰＥＧやＭＰＥＧなど）のフレームデータが生成され、バッファメモリ１７に蓄積される。この処理後、マイクロプロセッサ２２はステップＳ５に動作を移行する。
なお、カードインターフェース２０は、逐次生成される動画像データが所定の書き込み量貯まるたびに、メモリカード２１への書き込みを順次実施する。
【００３７】
ステップＳ５：  マイクロプロセッサ２２は、バッファメモリ１７内の動画像のフレーム数が、後述する動き検出および被写体静止条件の判定に足りるか否かを判定する。
動画撮影の開始直後のために、動画像のフレーム数が足りない場合、マイクロプロセッサ２２は、動き検出の動作に入らずに、ステップＳ１に動作を戻す。
一方、動画像のフレーム数が動き検出などに足りる場合、マイクロプロセッサ２２は、ステップＳ６に動作を移行する。
【００３８】
ステップＳ６：  マイクロプロセッサ２２は、電子カメラ１１の動作設定（例えばカスタム設定）に照会して、動体追尾モードが選択されているか否かを判定する。
ここで、動体追尾モードが選択されている場合、マイクロプロセッサ２２は、図４のステップＳ２１以降に動作を移行する。
一方、動体追尾モードが選択されていない場合、マイクロプロセッサ２２はステップＳ７に動作を移行する。
【００３９】
ステップＳ７：  マイクロプロセッサ２２は、画面内に予め定められた複数箇所について、動きベクトルをそれぞれ求める。この動きベクトルの求め方としては、ブロックマッチング法などが公知である。また、フレーム間で画素差分をとり、その画素差分の絶対値の和を複数領域ごとに求めることで、複数箇所の動き（スカラー量）を求めることもできる。
なお、動きの速さに応じて、動き量を検出する際のフレーム間隔をユーザーが設定したり、もしくは、マイクロプロセッサ２２が検出される動き量から自動調整することが好ましい。
【００４０】
ステップＳ８：  マイクロプロセッサ２２は、電子カメラ１１の動作設定に照会して、流し撮りモードが選択されているか否かを判定する。
ここで、流し撮りモードが選択されている場合、マイクロプロセッサ２２はステップＳ１０に動作を移行する。
一方、流し撮りモードが選択されていない場合、マイクロプロセッサ２２はステップＳ９に動作を移行する。
【００４１】
ステップＳ９：  流し撮りモードではない場合、マイクロプロセッサ２２は、画面内の複数箇所における動きベクトルの大きさを比較し、最大の動きベクトルを選択する。
この選択動作の後、マイクロプロセッサ２２は、ステップＳ１１に動作を移行する。
【００４２】
ステップＳ１０：  流し撮りモードの場合、マイクロプロセッサ２２は、画面内の複数箇所における動きベクトルの大きさを比較し、最小の動きベクトルを選択する。
この選択動作の後、マイクロプロセッサ２２は、ステップＳ１１に動作を移行する。
【００４３】
ステップＳ１１：  マイクロプロセッサ２２は、電子カメラ１１の動作設定に照会して、変速連写モードが選択されているか否かを判定する。
ここで、変速連写モードが選択されている場合、マイクロプロセッサ２２は、図３のステップＳ１６以降に示す変速連写モードの動作に移行する。
一方、変速連写モードが選択されていない場合、マイクロプロセッサ２２はステップＳ１２に動作を移行する。
【００４４】
ステップＳ１２：  マイクロプロセッサ２２は、ステップＳ９またはステップＳ１０で選択された動きベクトルの大きさ｜Ｍ｜について、下式による被写体静止条件の判定を行う。
｜Ｍ｜＜ＴＨ１      ・・・（条件式１）
ここで、閾値ＴＨ１は、画像のブレをどこまで許容できるかによって決まる閾値であり、実写実験などに基づいて予め決定される。なお、この閾値ＴＨ１は、電子カメラ１１の静止画像の電荷蓄積時間に応じて（例えば反比例させて）、変更することが好ましい。
この被写体静止条件を満足すると、マイクロプロセッサ２２はステップＳ１３に動作を移行する。
一方、被写体静止条件を満足しない場合、マイクロプロセッサ２２はステップＳ１に動作を戻す。
【００４５】
ステップＳ１３：  マイクロプロセッサ２２は、電子カメラ１１の動作設定に照会して、自動撮影モードが選択されているか否かを判定する。
自動撮影モードの場合、マイクロプロセッサ２２は、直ちに静止画撮影を行うため、ステップＳ１５に動作を移行する。
一方、自動撮影モードではない場合、マイクロプロセッサ２２はステップＳ１４に動作を移行する。
【００４６】
ステップＳ１４：  マイクロプロセッサ２２は、レリーズ釦が全押し状態か否かを確認する。
ここで、レリーズ釦が全押し状態の場合、マイクロプロセッサ２２は、静止画撮影を行うため、ステップＳ１５に動作を移行する。
一方、レリーズ釦が全押し状態ではない場合、マイクロプロセッサ２２は、静止画撮影を行わずに、ステップＳ１に動作を戻す。
なお、レリーズ釦の全押し操作に代えて、画像表示部２４に表示されたメニューで、レリーズ釦の全押しに相当する項目をスイッチ群２２の操作部材を用いて選択することで、レリーズ釦の全押しと同様の動作を行わせるものであってもよい。
【００４７】
ステップＳ１５：  マイクロプロセッサ２２は、タイミングジェネレータ２２ｂを介して、撮像素子１３に駆動パルスを与え、撮像素子１３から静止画像（ここでは全画素読み出しによる高解像度画像）を読み出す。
この静止画像の読み出し動作を完了すると、マイクロプロセッサ２２はステップＳ１に動作を戻す。
【００４８】
なお、読み出された静止画像は、Ａ／Ｄ変換部１５、および信号処理部１６を経た後、バッファメモリ１７に一時蓄積される。この静止画像は、画像処理部１９による画像処理、圧縮伸張部２３による圧縮処理を経て、静止画ファイルに変換される。カードインターフェース２０は、この静止画ファイルをメモリカード２１に記録する。
このような動作（ステップＳ１〜Ｓ１５）により、ブレの少ない鮮明な静止画像を撮影することが可能になる。
【００４９】
［変速連写モードの動作］
図３は、動画撮影の合間に、静止画像の連写速度を変化させる応用動作（変速連写動作）を説明する流れ図である。
この動作は、図２に示すステップＳ１１から分岐して実行される。以下、図３に示すステップ番号に沿って、この動作説明を行う。
【００５０】
ステップＳ１６：  マイクロプロセッサ２２は、ステップＳ９またはステップＳ１０で選択された動きベクトルの大きさ｜Ｍ｜に基づいて、図３のステップＳ１６に示されるグラフをテーブル化したデータテーブルを参照し、連写記録の時間間隔Ｔを決定する。
なお、データテーブルを用いずに、動きベクトルの大きさ｜Ｍ｜から演算によって連写記録の時間間隔Ｔを決定してもよい。
【００５１】
ここでは、動きベクトルの大きさ｜Ｍ｜が小さくなるに従って、連写記録の時間間隔Ｔを短く設定することで、連写速度を速める。
一方、動きベクトルの大きさ｜Ｍ｜が充分小さくなった場合（例えば、上述した閾値ＴＨ１以下）、マイクロプロセッサ２２は、時間間隔Ｔを『電子カメラ１１の最大速連写に対応した値Ｔmin』に固定する。
【００５２】
逆に、動きベクトルの大きさ｜Ｍ｜が過度に大きくて静止画撮影に適さなくなった場合、マイクロプロセッサ２２は、時間間隔Ｔを過剰に大きい値に設定して、連写動作を実質的に休止させる。
なお、マイクロプロセッサ２２は、連写記録の時間間隔Ｔを、メモリカード２１の書き込み速度性能やバッファメモリ１７の空き容量に合わせて増減変化させることが好ましい。
マイクロプロセッサ２２は、例えばメモリカード２１の書き込み速度が遅く場合や、バッファメモリの空き容量が少なくなったら、連写記録の時間間隔Ｔを増加させる。
【００５３】
ステップＳ１７：  マイクロプロセッサ２２は、前回の静止画撮影の時点から、ステップＳ１６で決定した時間間隔Ｔが経過したか否かを判定する。
ここで、時間間隔Ｔがまだ経過していない場合、マイクロプロセッサ２２は、静止画撮影を行わずに、ステップＳ１に動作を戻す。
一方、時間間隔Ｔが経過した場合、マイクロプロセッサ２２は、静止画撮影を行うため、ステップＳ１８に動作を移行する。
なお、連写１コマ目の場合も、マイクロプロセッサ２２は、静止画撮影を行うため、ステップＳ１８に動作を移行する。
【００５４】
ステップＳ１８：  マイクロプロセッサ２２は、電子カメラ１１の動作設定に照会して、自動撮影モードが選択されているか否かを判定する。
自動撮影モードの場合、マイクロプロセッサ２２は、直ちに静止画撮影を行うため、ステップＳ２０に動作を移行する。
一方、自動撮影モードではない場合、マイクロプロセッサ２２はステップＳ１９に動作を移行する。
【００５５】
ステップＳ１９：  マイクロプロセッサ２２は、レリーズ釦が全押し状態か否かを確認する。
ここで、レリーズ釦が全押し状態の場合、マイクロプロセッサ２２は、静止画撮影を行うため、ステップＳ２０に動作を移行する。
一方、レリーズ釦が全押し状態ではない場合、マイクロプロセッサ２２は、静止画撮影を行わずに、ステップＳ１に動作を戻す。
なお、このレリーズ釦の全押し操作を、前述したようにメニュー操作で代用してもよい。
【００５６】
ステップＳ２０：  マイクロプロセッサ２２は、タイミングジェネレータ２２ｂを介して、撮像素子１３に駆動パルスを与え、撮像素子１３から静止画像を読み出す。
この静止画像の読み出し動作を完了すると、マイクロプロセッサ２２はステップＳ１に動作を戻す。
なお、読み出された静止画像は、Ａ／Ｄ変換部１５、および信号処理部１６を経た後、バッファメモリ１７に一時蓄積される。この静止画像は、画像処理部１９による画像処理、圧縮伸張部２３による圧縮処理を経て、静止画ファイルに変換される。カードインターフェース２０は、この静止画ファイルをメモリカード２１に記録する。
このような動作により、ステップＳ１６で変更された時間間隔Ｔで静止画撮影が繰り返される。その結果、ブレ状況に応じて静止画像の連写速度を可変することが可能になる。
【００５７】
［動体追尾モードの動作］
図４は、動画撮影によって画面内の特定被写体を追尾しつつ、撮像画面上でのその特定被写体のブレの少ない瞬間に静止画像を撮影する動体追尾モード時の動作を説明する流れ図である。
この動作は、図２に示すステップＳ６から分岐して実行される。以下、図４に示すステップ番号に沿って、この動作説明を行う。
【００５８】
ステップＳ２１：  マイクロプロセッサ２２は、スイッチ群２２ａを介してユーザーから特定被写体の指示入力が新規になされたか否かを確認する。
【００５９】
ここでの指示入力は、次のような入力デバイスを使用することが好ましい。
（１）モニタ画面２５に設けたタッチパネル。
（２）マルチセレクター釦と、モニタ画面２５上の指標表示によるＧＵＩ入力部。
（３）視線入力デバイス。
（４）『人物』『顔』などのメニュー項目の選択と、メニュー選択された絵柄を色検出やパターン認識で動画像中から検出する処理部。
（５）レリーズ釦の半押しやロック釦の操作を検出し、その検出時点におけるフォーカスエリアの選択箇所を特定被写体の位置とする処理部。
このような指示入力を受け付けると、マイクロプロセッサ２２はステップＳ２２に動作を移行する。
一方、ユーザーからの指示入力が無い場合、マイクロプロセッサ２２はステップＳ２３に動作を移行する。
【００６０】
ステップＳ２２：  マイクロプロセッサ２２は、指示入力された特定被写体の撮像画面上の位置を記憶する。この動作の後、マイクロプロセッサ２２はステップＳ２６に動作を移行する。
【００６１】
ステップＳ２３：  マイクロプロセッサ２２は、追尾対象の特定被写体が存在するか否かを判定する。
例えば、特定被写体が未設定であったり、また特定被写体が画面外にフレームアウトして見失った場合、特定被写体は存在しない。この場合、マイクロプロセッサ２２はステップＳ２４に動作を移行する。
一方、追尾対象の特定被写体が存在する場合、マイクロプロセッサ２２はステップＳ２６に動作を移行する。
【００６２】
ステップＳ２４：  マイクロプロセッサ２２は、電子カメラ１１の動作設定に照会して、流し撮りモードが選択されているか否かを判定する。
ここで、流し撮りモードが選択されている場合、マイクロプロセッサ２２はステップＳ２５に動作を移行する。
一方、流し撮りモードが選択されていない場合、マイクロプロセッサ２２は動体追尾モードの動作を中断して、ステップＳ１に動作を戻す。
【００６３】
ステップＳ２５：  マイクロプロセッサ２２は、流し撮りモードの場合、動き量が最小の領域を動画像の画面内から検出し、その領域を特定被写体の位置として記憶する。
【００６４】
ステップＳ２６：  マイクロプロセッサ２２は、特定被写体の現在位置の箇所において、フレーム間について動きベクトルを求める。
【００６５】
ステップＳ２７：  マイクロプロセッサ２２は、ステップＳ２６で求められた動きベクトル情報と特定被写体の現在位置情報を用いて、特定被写体の新たな位置を求める。
【００６６】
ステップＳ２８：  マイクロプロセッサ２２は、電子カメラ１１の動作設定に照会して、変速連写モードが選択されているか否かを判定する。
ここで、変速連写モードが選択されている場合、マイクロプロセッサ２２は、図３のステップＳ１６以降に示す変速連写モードの動作に移行する。
一方、変速連写モードが選択されていない場合、マイクロプロセッサ２２はステップＳ２９に動作を移行する。
【００６７】
ステップＳ２９：  マイクロプロセッサ２２は、ステップＳ２６で求められた特定被写体の動きベクトルの大きさ｜Ｍ｜について、上述したステップＳ１２と同様に被写体静止条件の判定を行う。
ここで、被写体静止条件を満足すると、マイクロプロセッサ２２はステップＳ３０に動作を移行する。
一方、被写体静止条件を満足しない場合、マイクロプロセッサ２２はステップＳ１に動作を戻す。
【００６８】
ステップＳ３０：  マイクロプロセッサ２２は、電子カメラ１１の動作設定に照会して、自動撮影モードが選択されているか否かを判定する。
自動撮影モードの場合、マイクロプロセッサ２２は、直ちに静止画撮影を行うため、ステップＳ３２に動作を移行する。
一方、自動撮影モードではない場合、マイクロプロセッサ２２はステップＳ３１に動作を移行する。
【００６９】
ステップＳ３１：  マイクロプロセッサ２２は、レリーズ釦が全押し状態か否かを確認する。
ここで、レリーズ釦が全押し状態の場合、マイクロプロセッサ２２は、静止画撮影を行うため、ステップＳ３２に動作を移行する。
一方、レリーズ釦が全押し状態ではない場合、マイクロプロセッサ２２は、静止画撮影を行わずに、ステップＳ１に動作を戻す。
【００７０】
ステップＳ３２：  マイクロプロセッサ２２は、タイミングジェネレータ２２ｂを介して、撮像素子１３に駆動パルスを与え、撮像素子１３から静止画像を読み出す。読み出された静止画像は、Ａ／Ｄ変換部１５、および信号処理部１６を経た後、バッファメモリ１７に一時蓄積される。
なお、レリーズ釦の全押し操作を、前述したメニュー操作で代用してもよい。
【００７１】
ステップＳ３３：  マイクロプロセッサ２２は、電子カメラ１１の動作設定に照会して、トリミング設定の有無を判定する。
もしもトリミング設定が存在した場合、マイクロプロセッサ２２はトリミング処理を行うために、ステップＳ３４に動作を移行する。
一方、トリミング設定が存在しない場合、マイクロプロセッサ２２はトリミング処理を行わずに、ステップＳ３７に動作を移行する。
【００７２】
ステップＳ３４：  マイクロプロセッサ２２は、特定被写体の現在位置を基準にして、静止画像の画面内にトリミング枠を設定する。
【００７３】
このトリミング枠は、
（１）縦横の画素サイズ（特定被写体の画素サイズ（大きさ）に対する相対倍率で指定してもよい）
（２）トリミング枠内における特定被写体の位置
などによって柔軟に設定することができる。
【００７４】
ステップＳ３５：  マイクロプロセッサ２２は、トリミング枠に従って、静止画像をトリミングする。なお、トリミングと合わせて解像度変換を行うことで、トリミング画像に電子ズーム処理を施して、例えば撮像素子１３の画素数と同じ画素数とする構成としてもよい。
【００７５】
ステップＳ３６：  トリミングにより、特定被写体の画面内位置が変化する。そこで、マイクロプロセッサ２２は、トリミング後の静止画像について特定被写体の位置を求める。
【００７６】
ステップＳ３７：  画像処理部１９の画像処理、および圧縮伸張部２３の圧縮処理を経て、静止画像が静止画像ファイルに変換される。マイクロプロセッサ２２は、特定被写体の位置データを静止画像ファイル内に格納する。
このような静止画像の処理を完了すると、マイクロプロセッサ２２はステップＳ１に動作を戻す。
一方、カードインターフェース２０は、バッファメモリ１７内に完成した静止画像ファイルをメモリカード２１に記録する。
次に、別の実施形態について説明する。
【００７７】
《第２実施形態》
図５は、第２実施形態における電子カメラ５１のブロック図である。
第２実施形態の構成上の特徴は、動画撮影用の撮像系５２，５３と信号処理系５４，５５を別途設けた点である。例えば、一眼レフタイプの電子カメラでは、ファインダ光学系に撮像系５２，５３を併設することが可能である。
このような構成では、撮像系５２，５３から出力される動画像を用いて動き検出を行い、その動き量が被写体静止条件を満足した瞬間に、撮像素子１３を用いて静止画像を撮影する。
なお、その他の動作については、第１実施形態と同様であるため、説明を省略する。
【００７８】
《実施形態の補足事項》
なお、上述した実施形態では、連写した静止画像を個別に記録している（ステップＳ２０参照）。しかしながら、連写した静止画像群を動画像ファイルとしてまとめて記録してもよい。この場合は、ステップＳ１６の処理によって動きの大きさ｜Ｍ｜に応じて動画撮影のフレームレートを調整する動作が実現する。
【００７９】
なお、上述した実施形態では、動きの大きさ｜Ｍ｜の閾値判定を、被写体静止条件としている。しかしながら、本発明はこれに限定されるものではない。動きの大きさ｜Ｍ｜が極小となったか否かの判定を、被写体静止条件としてもよい。
【００８０】
また、上述した実施形態では、ブロックマッチングなどの『フレーム間動き検出』を実行している。しかしながら、本発明はこれに限定されるものではない。例えば、動画像のフレーム内において、画像ブレ量を検出したり、動画像のフレームの圧縮符号量（ブレによる像流れが少ないと、圧縮符号量は大きくなる）に基づいて、フレーム内における動きの大きさを検出したりするなどして、動画像のフレームごとに『フレーム内動き検出』を実施してもよい。
【産業上の利用可能性】
【００８１】
以上説明したように、本発明は、映像記録装置などに利用可能な技術である。
【図面の簡単な説明】
【００８２】
【図１】第１実施形態の電子カメラ１１を示すブロック図である。
【図２】動画撮影の途中で、静止画像を撮影する流れ図である。
【図３】動画撮影の合間に、静止画像を変速連写する流れ図である。
【図４】動画撮影と並行して、画面内で特定被写体を追尾しつつ、その特定被写体のブレの少ない瞬間に静止画像を撮影する流れ図である。
【図５】第２実施形態における電子カメラ５１のブロック図である。
【符号の説明】
【００８３】
１１  電子カメラ
１２  撮影レンズ
１３  撮像素子
１５  Ａ／Ｄ変換部
１６  信号処理部
１７  バッファメモリ
１８  バス
１９  画像処理部
２０  カードインターフェース
２１  メモリカード
２２  マイクロプロセッサ
２２ａ  スイッチ群
２２ｂ  タイミングジェネレータ
２３  圧縮伸張部
２４  画像表示部
２５  モニタ画面
【図１】
2006067452.tif 000003
【図２】
2006067452.tif 000004
【図３】
2006067452.tif 000005
【図４】
2006067452.tif 000006
【図５】
2006067452.tif 000007